(57)【要約】【課題】  巾木と塞ぎ板が有機的に結合して組み立てや分解が容易であり、巾木と塞ぎ板を倉庫などに収納するときにコンパクトにまとめることができる枠組足場を提供する。【解決手段】  門形をした２本の建枠４を交叉筋違５で連結し、建枠頂部の横架部材４１に踏板６を戴置してユニット足場とし、このユニット足場を左右方向と上下方向に連結した枠組足場であって、踏板の長手方向の側部に垂直方向に設けられた巾木１、および踏板と巾木の間の隙間を塞ぐ水平方向の塞ぎ板２を有する枠組足場において、塞ぎ板を巾木に回動可能に取り付け、収納時に重ね合わされた塞ぎ板と巾木をマグネット３により固定する。【選択図】  図２
2005083058.tif 000002
【特許請求の範囲】
【請求項１】
門形をした２本の建枠を交叉筋違で連結し、建枠頂部の横架部材に踏板を戴置してユニット足場とし、このユニット足場を左右方向と上下方向に連結した枠組足場であって、該踏板の長手方向の側部に垂直方向に設けられた巾木、および該踏板と巾木の間の隙間を塞ぐ水平方向の塞ぎ板を有する枠組足場において、
前記塞ぎ板は巾木に回動可能に取り付けられ、収納時に重ね合わされた塞ぎ板と巾木はマグネットにより固定されることを特徴とする建枠足場。
【発明の詳細な説明】
【技術分野】
【０００１】
本発明は、建設現場などで使用される枠組足場に関するものである。
【背景技術】
【０００２】
建設現場などで使用される枠組足場は、門形をした２本の建枠を交叉筋違で連結し、建枠頂部の横架部材に踏板を戴置してユニット足場とし、このユニット足場を建設現場の横幅と高さに応じて左右方向と上下方向に連結して構成される。かかる枠組足場には、踏板上で作業する作業者や踏板に置かれた建設工具などの落下事故を防止するための構造が必要になる。
【０００３】
踏板上に置かれたボルトやナットなどの小さな建設資材やハンマーやドライバーなどの小さな建設工具などの落下事故も防止するために、踏板の長手方向の側部に垂直方向に設けられた巾木を設けることが有効である。また、踏板の側部と巾木の間に建設工具などが落下するだけの隙間があるときは、この隙間を塞ぐ水平方向の塞ぎ板を設けることが有効である。
【０００４】
このように、建設工具などの落下事故を防止するために、巾木や塞ぎ板が必要に応じて取り付けられるが、従来は巾木と塞ぎ板各々専用の部材となっており、相互に関連性がなかった。したがって、部材個数が多く、組み立てや分解に大きな手間を要する不具合があった。また、枠組足場を分解して巾木と塞ぎ板を倉庫などに収納するときに２部材であるためにコンパクトにまとめにくい不具合があった。
【発明の開示】
【発明が解決しようとする課題】
【０００５】
解決しようとする課題は、巾木と塞ぎ板が有機的に結合して組み立てや分解が容易であり、巾木と塞ぎ板を倉庫などに収納するときにコンパクトにまとめることができる枠組足場を提供することである。
【課題を解決するための手段】
【０００６】
本発明は、門形をした２本の建枠を交叉筋違で連結し、建枠頂部の横架部材に踏板を戴置してユニット足場とし、このユニット足場を左右方向と上下方向に連結した枠組足場であって、該踏板の長手方向の側部に垂直方向に設けられた巾木、および該踏板と巾木の間の隙間を塞ぐ水平方向の塞ぎ板を有する枠組足場において、塞ぎ板は巾木に回動可能に取り付けられ、収納時に重ね合わされた塞ぎ板と巾木はマグネットにより固定されることを最大の特徴とする。
【発明の効果】
【０００７】
塞ぎ板が巾木に回動可能に取り付けられているので、巾木を建枠に固定すると塞ぎ板も同時に組み付けられ、分解時も、巾木を建枠から取り外すと塞ぎ板も同時に取り外すことができ、組み立ておよび分解がきわめて容易である。また、重ね合わされた塞ぎ板と巾木はマグネットにより固定されるので、巾木と塞ぎ板が直角に開くことがなく、コンパクトに倉庫などに収納することができる。
【発明を実施するための最良の形態】
【０００８】
巾木と塞ぎ板の建枠への組み付けおよび分解を容易にし、しかも非使用時には倉庫などにコンパクトに収納するという目的を巾木と塞ぎ板を有機的に結合することにより実現した。
【実施例１】
【０００９】
図１の（Ａ）は連結された巾木と塞ぎ板の平面図、（Ｂ）は正面図を示し、図２は連結された塞ぎ板と巾木の側面図を示すが、図１および図２において、巾木１は、長尺の鉄板の長手方向の上端縁１ａをコ字形に折り曲げて剛性を大きくしたものであり、下端縁１ｂはロ字形に折り曲げられている。巾木１の上端側には複数個のマグネット３取り付けられている。また、巾木１の両端には第１固定金具１１および第２固定金具１２が取り付けられている。第１固定金具１１および第２固定金具１２はコ字形をしており、内部には、斜め方向に固定された鉄板からなるスペーサ１３，１４がそれぞれ配置されている。スペーサ１３，１４の傾斜方向は同じ方向である。巾木１の下端部には略Ｕ字形をした回動金具７がブラインドリベット７１により固定されている。
【００１０】
塞ぎ板２も、巾木１とほぼ同じ大きさの長尺の鉄板からなり、図２に示すように、一端が回動金具７に連結されている。つまり、塞ぎ板２は巾木１に回動可能につりつけられており、巾木１と直交位置にある塞ぎ板２を回動金具７を中心にして回動すると巾木１と塞ぎ板２は重ね合わされ、マグネット３により固定されるようになっている。
【００１１】
図３は本発明実施例の枠組足場の平面図であり、図４は正面図であるが、門形をした２本の建枠４、４が交叉筋違５で連結され、建枠４頂部の横架部材４１に踏板６を戴置したものがユニット足場であり、このユニット足場が建設現場の横幅と高さに応じて左右方向と高さ方向に連結される。
【００１２】
このユニット足場の建枠４に塞ぎ板２が取り付けられた巾木１を取り付ける。つまり、第１固定金具１１が下側になるように巾木１をやや傾いた姿勢する。したがって、スペーサ１３，１４はともに垂直姿勢に近くなる。そして、この姿勢で第１固定金具１１を一方の建枠４に嵌め込む。次に、巾木１を第１固定金具１１を中心にして回動しながら第２固定金具１２を他方の建枠４に嵌め込む。これにより、斜め方向であるスペーサ１３の下端およびスペーサ１４の上端がそれぞれ建枠４に当接し、踏板６と直交する巾木１は長手方向に移動しなくなる。そして、塞ぎ板２を回動させて巾木１と直交姿勢にすると塞ぎ板２の一端は、図３に示すように、踏板６に乗り、組み付けが完了する。このように、巾木１と塞ぎ板２が有機的に結合されているので組み付け作業はきわめて簡単である。そして、図３および図４に示すように、巾木１と塞ぎ板３の存在するので、踏板６に置かれたボルトやナットなどの小さな建設資材やハンマーやドライバーなどの小さな建設工具などの落下事故を未然に防止することができる。
【００１３】
工事が終了し、枠組足場を分解する際、巾木１と塞ぎ板２を取り外すには、前記の操作と逆の操作を行えばよい。すなわち、塞ぎ板２を図２に示すように回動して巾木１に重ね合わせ、マグネット３で巾木１と塞ぎ板２を固定する。そして、巾木１の第２固定金具１２側を持ち上げて巾木１を回動させ、第２固定金具１２を建枠４から外す。次に、巾木１を第２固定金具１２側に移動させて第１固定金具１１を建枠４から抜けばよい。このように、取り外し作業も極めて簡単であり、しかも、巾木１と塞ぎ板２がマグネット３で固定されているので、直角方向に開くことがなくてコンパクトであるので、倉庫などに効率よく収納できる。
【図面の簡単な説明】
【００１４】
【図１】（Ａ）は結合された巾木と塞ぎ板の平面図、（Ｂ）は正面図である。
【図２】結合された巾木と塞ぎ板の側面図である。
【図３】実施例の平面図である。
【図４】実施例の正面図である。
【符号の説明】
【００１５】
１      巾木
１１      第１固定金具
１２      第２固定金具
１３，１４  スペーサ
２      塞ぎ板
３      マグネット
４      建枠
４１      建枠の横架部材
５      交叉筋違
６      踏板
７      回動金具
７１      ブラインドリベット  
【図１】
2005083058.tif 000003
【図２】
2005083058.tif 000004
【図３】
2005083058.tif 000005
【図４】
2005083058.tif 000006